(57)【要約】      （修正有）【課題】  本発明は安価な小型モータを使用してもギヤのバックラッシュをなくし、表示ドラムの停止時の上下震動をなくし、きれいに停止させることができる表示装置を提供する。【解決手段】  ベース板２と、このベース板に取付けられた小型モータ４と、前記ベース板に回転可能に取付けられた出力ギヤ９と、この出力ギヤに取付けられた表示ドラムと、前記小型モータのモータピニオン５の駆動を前記出力ギヤに減速して伝達する、前記ベース板に取付けられた中間ギヤ１４と、この中間ギヤを常時前記モータピニオンと前記出力ギヤに遊びが生じないように付勢する中間ギヤ付勢機構１５とで表示装置を構成している。【選択図】  図３
2007219124.tif 000002
【特許請求の範囲】
【請求項１】
ベース板と、このベース板に取付けられた小型モータと、前記ベース板に回転可能に取付けられた出力ギヤと、この出力ギヤに取付けられた表示ドラムと、前記小型モータのモータピニオンの駆動を前記出力ギヤに減速して伝達する、前記ベース板に取付けられた中間ギヤと、この中間ギヤを常時前記モータピニオンと前記出力ギヤに遊びが生じないように付勢する中間ギヤ付勢機構とを備えることを特徴とする表示装置。
【請求項２】
中間ギヤ付勢機構は中間ギヤが回転可能に取付けられた支持板と、この支持板を前記中間ギヤがモータピニオンと出力ギヤに遊びが生じないように移動できるようにベース板に取付けるベース板への取付け手段と、前記支持板を常時中間ギヤがモータピニオンと出力ギヤに遊びが生じないように付勢する付勢スプリングとで構成されていることを特徴とする請求項１記載の表示装置。
【発明の詳細な説明】
【技術分野】
【０００１】
本発明は表示ドラムを用いた表示装置に関する。
【背景技術】
【０００２】
従来、この種の表示装置は表示ドラムを急激に停止させる必要があるため、ハイパワーのモータを用いている。
【０００３】
このため、高価なモータとなり、コスト高になるという欠点があった。この欠点を解消するために、ギヤ減速で安価な小型モータを使用することも考えられているが、ギヤのバックラッシュにより表示ドラムの停止時に上下震動してみにくい停止になってしまうという欠点があった。
【特許文献１】特になし
【発明の開示】
【発明が解決しようとする課題】
【０００４】
本発明は以上のような従来の欠点に鑑み、安価な小型モータを使用してもギヤのバックラッシュをなくし、表示ドラムの停止時の上下震動をなくし、きれいに停止させることができる表示装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はベース板と、このベース板に取付けられた小型モータと、前記ベース板に回転可能に取付けられた出力ギヤと、この出力ギヤに取付けられた表示ドラムと、前記小型モータのモータピニオンの駆動を前記出力ギヤに減速して伝達する、前記ベース板に取付けられた中間ギヤと、この中間ギヤを常時前記モータピニオンと前記出力ギヤに遊びが生じないように付勢する中間ギヤ付勢機構とで表示装置を構成している。
【発明の効果】
【０００７】
以上の説明から明らかなように、本発明にあっては次に列挙する効果が得られる。
【０００８】
（１）ベース板と、このベース板に取付けられた小型モータと、前記ベース板に回転可能に取付けられた出力ギヤと、この出力ギヤに取付けられた表示ドラムと、前記小型モータのモータピニオンの駆動を前記出力ギヤに減速して伝達する、前記ベース板に取付けられた中間ギヤと、この中間ギヤを常時前記モータピニオンと前記出力ギヤに遊びが生じないように付勢する中間ギヤ付勢機構とで構成されているので、表示ドラムを小型モータで駆動させることができる。
したがって、安価なモータが使用でき、コストの低減を図ることができる。
【０００９】
（２）前記（１）によって、中間ギヤをモータピニオンと出力ギヤに遊びが生じないように付勢する中間ギヤ付勢機構によって、ギヤのバックラッシュをなくすことができる。
したがって、表示ドラムの停止時の上下震動を防止し、きれいに表示ドラムを停止させることができる。
【００１０】
（３）前記（１）によって、中間ギヤ付勢機構を用いるだけでよいので、容易で、安価に設置することができる。
【００１１】
（４）請求項２も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図５に示す本発明を実施するための最良の第１の形態において、１は本発明の表示装置で、この表示装置１はベース板２と、このベース板２の前面に駆動軸３が突出するように、該ベース板２の裏面に取付けられた小型モータ４と、この小型モータ４の駆動軸３に取付けられたモータピニオン５と、前記ベース板２の前面に軸受６を介して回転可能に取付けられた出力軸７に取付けられた表示ドラム取付部８を有する出力ギヤ９と、この出力ギヤ９の表示ドラム取付部８にビス１０で取付けられた表示ドラム１１と、前記小型モータ４のモータピニオン５の駆動を前記出力ギヤ９に減速して伝達する前記ベース板２に取付けられた、該モータピニオン５と噛み合う大歯車１２および出力ギヤ９と噛み合う小歯車１３とからなる中間ギヤ１４と、この中間ギヤ１４を常時前記モータピニオン５と前記出力ギヤ９に遊びが生じないように付勢する中間ギヤ付勢機構１５とで構成されている。
【００１４】
前記中間ギヤ付勢機構１５は前記モータピニオン５と出力ギヤ９との間のベース板２上をスライド移動できる支持板１６と、この支持板１６の一端部に形成された軸挿入孔１７に遊びを介して挿入されるとともに、該支持板１６が脱落しないように支持する、前記ベース板２に固定された固定シャフト１８およびこの固定シャフト１８の先端部寄りの部位に形成された、割りワッシャ挿入溝１９に挿入された割りワッシャ２０からなる取付け手段と、前記支持板１６の中央部寄りの部位に取付けられた中間ギヤ１４が取付けられる中間ギヤ支持シャフト２１と、この中間ギヤ支持シャフト２１の前記ベース板２に形成された中間ギヤ支持シャフト挿入孔２２に位置する部位に取付けられたＯリング２３と、前記支持板１６の他端部の付勢スプリング係止片２４にほぼ中央部が係止され、両端部が前記ベース板２の付勢スプリング係止部２５、２５に係止された、前記中間ギヤ１４が常時モータピニオン５と出力ギヤ９に遊びが生じないように付勢する付勢スプリング２６とで構成されている。
【００１５】
上記構成の表示装置１は小型モータ４の駆動により、モータピニオン５、中間ギヤ１４の大歯車１２、小歯車１３を介して出力ギヤ９が回転し、表示ドラム１１が出力ギヤ９と一体になって回転する。
小型モータ４の駆動を停止すると表示ドラム１１も停止するが、この時、中間ギヤ１４とモータピニオン５および出力ギヤ９は中間ギヤ付勢機構１５でバックラッシュが生じないため、表示ドラム１１が上下震動することなく、きれいに停止し、表示ドラム１１の表示が見やすい状態で見える。
[発明を実施するための異なる形態]
【００１６】
次に、図６ないし図１１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図６ないし図８に示す本発明を実施するための第２の形態において、前記本発明を実施するための最良の第１の形態と主に異なる点は、ベース板２の中間ギヤ支持シャフト挿入孔２２にＯリングを用いることなく、遊びを介して中間ギヤシャフト２１を位置させた中間ギヤ付勢機構１５Ａを用いた点で、このような中間ギヤ付勢機構１５Ａを用いて構成した表示装置１Ａにしても、前記本発明を実施するための最良の第１の形態と同様な作用効果が得られる。
【００１８】
図９ないし図１１に示す本発明を実施するための第３の形態において、前記本発明を実施するための最良の第１の形態と主に異なる点は、支持板１６の一端部をベース板２に対向するように切り欠き２７、２７をクランク状に曲げた一対のガイド片２８、２８でスライド移動可能に支持するとともに、支持板１６の他端部をコイルスプリングを用いた付勢スプリング２６Ａで常時中間ギヤ１４をモータピニオン５と出力ギヤ９とに遊びが生じないように付勢した中間ギヤ付勢機構１５Ｂを用いた点で、このような中間ギヤ付勢機構１５Ｂを用いて構成した表示装置１Ｂにしても、前記本発明を実施するための最良の第１の形態と同様な作用効果が得られる。
【産業上の利用可能性】
【００１９】
本発明は表示ドラムを用いた表示装置を製造する産業で利用される。
【図面の簡単な説明】
【００２０】
【図１】本発明を実施するための最良の第１の形態の正面図。
【図２】本発明を実施するための最良の第１の形態の側面図。
【図３】本発明を実施するための最良の第１の形態の表示ドラムを外した状態の拡大平面図。
【図４】図３の４−４線に沿う断面図。
【図５】図３の５−５線に沿う断面図。
【図６】本発明を実施するための第２の形態の側面図。
【図７】本発明を実施するための第２の形態の表示ドラムを外した状態の拡大平面図。
【図８】図７の８−８線に沿う断面図。
【図９】本発明を実施するための第３の形態の側面図。
【図１０】本発明を実施するための第３の形態の表示ドラムを外した状態の拡大平面図。
【図１１】図１０の１１−１１線に沿う断面図。
【符号の説明】
【００２１】
１、１Ａ、１Ｂ：表示装置、    ２：ベース板、
３：駆動軸、                  ４：小型モータ、
５：モータピニオン、          ６：軸受、
７：出力軸、                  ８：表示ドラム取付部、
９：出力ギヤ、                １０：ビス、
１１：表示ドラム、            １２：大歯車、
１３：小歯車、                １４：中間ギヤ、
１５、１５Ａ、１５Ｂ：中間ギヤ付勢機構、
１６：支持板、                １７：軸挿入孔、
１８：固定シャフト、          １９：割りワッシャ挿入溝、
２０：割りワッシャ、          ２１：中間ギヤ支持シャフト、
２２：中間ギヤ支持シャフト挿入孔、
２３：Ｏリング、              ２４：付勢スプリング係止片、
２５：付勢スプリング係止部、  ２６、２６Ａ：付勢スプリング、
２７：切り欠き、              ２８：ガイド片。
【図１】
2007219124.tif 000003
【図２】
2007219124.tif 000004
【図３】
2007219124.tif 000005
【図４】
2007219124.tif 000006
【図５】
2007219124.tif 000007
【図６】
2007219124.tif 000008
【図７】
2007219124.tif 000009
【図８】
2007219124.tif 000010
【図９】
2007219124.tif 000011
【図１０】
2007219124.tif 000012
【図１１】
2007219124.tif 000013